(57)【要約】【課題】被洗浄面に付着した汚れ等のなかでも、特に、台所にて使用されてあるオーブントースター、電子レンジ、ガスコンロ、クッキングヒーター、グリル等に付着した油汚れを、迅速、的確に除去して洗浄することのできる洗浄ブラシを提供する。【解決手段】被洗浄面に付着した汚れ等を洗浄する為の洗浄ブラシにおいて、前記洗浄ブラシは台座及びブラシ片より形成されてあり、前記台座は概Ｕ字断面の溝部を有する概棒状体にて形成されてあり、前記ブラシ片は織布あるいは不織布より形成されてあると共に、前記ブラシ片を前記台座の溝部にたいして着脱可能に押し込む事により、概扇形状の断面を有するブラシ片が形成されてあるものである。【選択図】      図１
2005103214.tif 000002
【特許請求の範囲】
【請求項１】
被洗浄面に付着した汚れ等を洗浄する為の洗浄ブラシにおいて、前記洗浄ブラシは台座及びブラシ片より形成されてあり、前記台座は概Ｕ字断面の溝部を有する概棒状体にて形成されてあり、前記ブラシ片は織布あるいは不織布より形成されてあると共に、前記ブラシ片を前記台座の溝部にたいして着脱可能に押し込む事により、概扇形状の断面を有するブラシ片が形成されてあることを特徴とする洗浄ブラシ。
【請求項２】
請求項１記載の構成よりなる洗浄ブラシにおいて、前記洗浄ブラシは台座、芯材、ブラシ片及び取っ手より形成されてあり、前記台座は概Ｕ字断面の溝部を有する長尺形状にて形成されてあり、前記芯材は概円柱あるいは概角柱形状にて形成されてあり、前記ブラシ片は親油性を有する織布あるいは不織布より形成されてあると共に、前記ブラシ片を前記台座の溝部にたいして芯材にて挟み付けて押し込んだ後、前記台座を前記取っ手にたいして着脱可能に装着する事により、概扇形状の断面を有するブラシ片が形成されてあることを特徴とする洗浄ブラシ。
【請求項３】
請求項１あるいは２記載の構成よりなる洗浄ブラシにおいて、台座及び芯材は合成樹脂からなる成形品が使用されてあると共に、ブラシ片にスリットが形成されてあることを特徴とする洗浄ブラシ。
【発明の詳細な説明】
【技術分野】
【０００１】  本発明は、被洗浄面に付着した汚れ等を洗浄する為の洗浄ブラシに関するものである。
【背景技術】
【０００２】  被洗浄面に付着した汚れ等を洗浄する為の洗浄ブラシに関しては、使用目的に応じて、さまざまな改良がなされ、例えば、油汚れを有する食器等を洗う目的に使用した一例として、ブラシ本体に、アクリル繊維ネットを被覆したことを特徴とする油とりブラシが、特開平１１−２０６４５７号公報に開示されてある。【０００３】  また、ブラシの材質に不織布を使用した一例として、不織布からなるシートの一方の面に複数の突起を設けた毛髪用シートブラシが、特開２００３−２０６２１７号公報に開示されてある。【０００４】  従来の洗浄ブラシの一例は、上記の如くの特徴を有しているが、従来の技術においては、被洗浄面に付着した汚れ等のなかでも、特に、台所等にて使用されてあるオーブントースター、電子レンジ、ガスコンロ、クッキングヒーター、グリル等に付着した油汚れにたいして、油汚れを迅速、的確に除去して洗浄することは、不完全かつ不十分であった。また、従来の技術においては、不織布は、衣料用資材、各種フィルター、油吸着材等、各種分野に利用されてあるが、油分を吸着できるという特徴を、油汚れを吸着除去して、洗浄、清掃、及び磨きをするという目的にて、ブラシ片に使用した洗浄ブラシは、無かった。【０００５】
【特許文献１】  特開平１１−２０６４５７号公報
【特許文献２】  特開２００３−２０６２１７号公報
【発明の開示】
【発明が解決しようとする課題】
【０００６】  本発明は、上記のような課題を解決するためになされたもので、上記の如く、被洗浄面に付着した汚れ等のなかでも、特に、台所にて使用されてあるオーブントースター、電子レンジ、ガスコンロ、クッキングヒーター、グリル等に付着した油汚れを、迅速、的確に除去して洗浄することのできる洗浄ブラシを提供することを目的としている。
【課題を解決するための手段】
【０００７】  本発明にかかる洗浄ブラシは、次のように構成したものである。
（１）被洗浄面に付着した汚れ等を洗浄する為の洗浄ブラシにおいて、前記洗浄ブラシは台座及びブラシ片より形成されてあり、前記台座は概Ｕ字断面の溝部を有する概棒状体にて形成されてあり、前記ブラシ片は織布あるいは不織布より形成されてあると共に、前記ブラシ片を前記台座の溝部にたいして着脱可能に押し込む事により、概扇形状の断面を有するブラシ片が形成されてあるものである。【０００８】  （２）上記（１）記載の洗浄ブラシにおいて、前記洗浄ブラシは台座、芯材、ブラシ片及び取っ手より形成されてあり、前記台座は概Ｕ字断面の溝部を有する長尺形状にて形成されてあり、前記芯材は概円柱あるいは概角柱形状にて形成されてあり、前記ブラシ片は親油性を有する織布あるいは不織布より形成されてあると共に、前記ブラシ片を前記台座の溝部にたいして芯材にて挟み付けて押し込んだ後、前記台座を前記取っ手にたいして着脱可能に装着する事により、概扇形状の断面を有するブラシ片が形成されてあるものである。【０００９】  （３）上記（１）あるいは（２）記載の洗浄ブラシにおいて、台座及び芯材は合成樹脂からなる成形品が使用されてあると共に、ブラシ片にスリットが形成されてあるものである。
【発明の効果】
【００１０】  本発明の洗浄ブラシは、次に示すような効果を得ることができる。なお、説明にあたっては、請求項の番号と同じ番号を付して説明する。【００１１】  （１）洗浄ブラシの使用時には、底面を有し、概Ｒ形状の外周面、及び概扇形状の断面を有するブラシ片が、被洗浄面に付着した汚れ等の水分、油分、塵、埃等のさまざまな種類の汚れを、不織布に織り込まれた繊維間の隙間に吸着することができる為、洗浄、清掃、及び磨きを、同時に、迅速、かつ的確にすることができる。また、被洗浄面に付着した汚れ等のなかでも、特に、台所等にて使用されてあるオーブントースター、電子レンジ、ガスコンロ、クッキングヒーター、グリル等の内面の角部、隅部、排気筒等の複雑な筒形状の内部に付着した油汚れにたいしては、ブラシ片に形成されてある底面、外周面、及び断面が、被洗浄面の形状に沿うように、柔軟に接触することにより、より効果的かつ、迅速、的確に吸着除去して、洗浄、清掃、及び磨きをすることができる。【００１２】  また、洗浄ブラシは、ブラシ片を、両側から端部にて押え付けられて台座の溝部に保持されてある構造となっている為、ブラシ片を容易、かつ迅速に、着脱することができる。また、洗浄ブラシは、上記の如くの構造となっている為、洗浄ブラシの価格を極めて安くすることができ、製造を迅速、かつ容易にできる。さらにまた、台座に形成されてある溝部は、概Ｕ字断面を有していると共に、底面の幅に比べて両側の端部間の幅が狭く設定されて形成されてある為、洗浄ブラシの使用時に、台座から、ブラシ片が脱落することが無く、台座にたいして、ブラシ片を、確実に保持することができる。【００１３】  また、ブラシ片の外周面の形成状態について、ブラシ片を、台座の溝部にたいして挟み付けて形成する時に、ブラシ片を折り込む位置を、中心部から所定距離だけずらして折り込むことにより、外周面が互いに段差を有するように形成する方法を採用した場合には、被洗浄面に強く付着した汚れ等がある場合でも、段差を有する外周面が、汚れ等を、掻き出すことができる為、より迅速かつ的確に、洗浄、清掃、及び磨きをすることができる。【００１４】  （１）他の実施の形態として、ブラシ片の片側を巻き込んだ後、台座の溝部に押し込んでブラシ片が形成されてある方法を採用した場合には、概Ｒ形状の外周面は、中央部にて、分割されることが無く、連続的に形成されてある。その為、洗浄ブラシを、被洗浄面に付着した汚れ等に長時間接触させて使用した場合であっても、連続的に形成されてある外周面は、変形する事が極めて少ない。その為、耐久性の高い洗浄ブラシを製作することができる。また、被洗浄面の汚れ等が、強力な付着力を有する場合であっても、高い洗浄力を発揮できると共に、高い耐久性を有することができる。【００１５】  （１）他の実施の形態として、洗浄ブラシが、合成樹脂からなる台座及び織布からなる複数のブラシ片より形成されてある方法を採用した場合には、一般的に、不織布に比べてより高い洗浄力を有する織布が、被洗浄面に付着した汚れ等に接触することにより、極めて高い洗浄力を発揮できると共に、高い耐久性を有することができる。また、ブラシ片の形状について、矩形のシート形状以外に、例えば、外周部に、概波形形状、あるいは、概歯切形状等を採用した場合には、洗浄ブラシの使用時には、ブラシ片の外周部に形成された、概波形形状、あるいは、概歯切形状が、被洗浄面に強力に付着した汚れ等にたいして接触することにより、極めて高い洗浄力を発揮できる。【００１６】  （１）他の実施の形態として、洗浄ブラシが、織布が使用されてある１枚のブラシ片を、複数の山部、及び谷部が形成されるように、折り込んだ後、押片を、台座の溝部にたいして押し込むことにより、台座の溝部に挟み込まれてブラシ片が形成されてある方法を採用した場合には、洗浄ブラシの使用時には、ブラシ片に形成された複数の山部、及び谷部が、被洗浄面に強力に付着した汚れ等にたいして接触することにより、汚れ等を、強力に掻き出すことにより、極めて高い洗浄力を発揮できる。【００１７】  （２）洗浄ブラシの使用時には、親油性を有する不織布を使用し、かつ、底面、概Ｒ形状の外周面、及び概扇形状の端面を有するブラシ片が、被洗浄面に付着した汚れ等の水分、油分、塵、埃等のさまざまな種類の汚れを、不織布に織り込まれた繊維間の隙間に吸着すると共に、特に油分を強力に吸着することができる為、洗浄、清掃、及び磨きを、同時に、迅速、かつ的確にすることができる。また、被洗浄面に付着した汚れ等のなかでも、特に、台所等にて使用されてあるオーブントースター、電子レンジ、ガスコンロ、クッキングヒーター、グリル等の内面の角部、隅部、排気筒等の複雑な筒形状の内部に付着した油汚れにたいしては、ブラシ片に形成されてある底面、外周面、及び端面が、被洗浄面の形状に沿うように、柔軟に接触すると共に、特に油分を強力に吸着することができる為、より効果的かつ、迅速、的確に吸着除去して、洗浄、清掃、及び磨きをすることができる。【００１８】  また、洗浄ブラシは、ブラシ片が、両側から端部にて押え付けられてあると共に、芯材及び台座の溝部にて、挟み付けられて保持されてある構造となっている為、台座の溝部にたいして、ブラシ片を、強力に保持することができる。その為、洗浄ブラシの使用時に、ブラシ片が、溝部から脱落する事が無い。また、洗浄ブラシは、ブラシ片を芯材及び台座の溝部にて、挟み付けた後、台座の両側面に形成されてある凹部を、取っ手に形成されてある凸部に嵌め合わせて形成されてある為、取っ手から、台座をワンタッチで、着脱することができる。その為、芯材と共に台座に挟み付けられてあるブラシ片の交換を、容易、かつ迅速にすることができる。また、芯材と共に台座に挟み付けられてあるブラシ片を、それぞれ、台座、芯材、及びブラシ片に、容易、かつ迅速に、分解することができる。また、廃棄する時には、的確な分別廃棄ができる。また、洗浄ブラシは、上記の如くの構造となっている為、洗浄ブラシの価格を極めて安くすることができ、製造を迅速、かつ容易にできる。【００１９】  また、芯材の形状、本数について、例えば、長手方向にたいして捩りを加えた概角柱形状を使用したり、複数本の芯材を重ねて使用したり、複数本の芯材を束ねて捩りを加えて使用した場合には、ブラシ片の、台座の溝部にたいする保持力を、より強く設定することができる。【００２０】  （３）洗浄ブラシの使用時にお��ては、親油性を有する不織布が使用されてあり、概Ｒ形状の外周面が形成されてあると共に、概扇形状の端面が形成されてあり、複数のスリットが形成されてあるブラシ片が、被洗浄面に付着した汚れ等の水分、油分、塵、埃等のさまざまな種類の汚れを、不織布に織り込まれた繊維間の隙間に吸着すると共に、特に油分を強力に吸着することができ、かつ、複数のスリット間に、汚れ等が入り込むことができる為、洗浄、清掃、及び磨きを、同時に、迅速、かつ的確にすることができ、ブラシ片に付着した汚れ等が脱落することを防止できる。
【発明を実施するための最良の形態】
【００２１】  被洗浄面に付着した汚れ等のなかでも、特に、台所にて使用されてあるオーブントースター、電子レンジ、ガスコンロ、クッキングヒーター、グリル等に付着した油汚れを、迅速、的確に除去して洗浄することのできる洗浄ブラシを提供するという目的を、被洗浄面に付着した汚れ等を洗浄する為の洗浄ブラシにおいて、前記洗浄ブラシは台座及びブラシ片より形成されてあり、前記台座は概Ｕ字断面の溝部を有する概棒状体にて形成されてあり、前記ブラシ片は織布あるいは不織布より形成されてあると共に、前記ブラシ片を前記台座の溝部にたいして着脱可能に押し込む事により、概扇形状の断面を有するブラシ片が形成されてある構成において実現した。
【実施例１】
【００２２】  図１から図８にて実施例１を示す。図１は、本発明の洗浄ブラシを前面側から見た斜視図である。図１において、１は洗浄ブラシ、２は台座、３はブラシ片、４は溝部、５は端面、７は外周面、８は下面、９は手持部、５３は底面、６１は端部である。図２は、図１に使用するブラシ片を前面側から見た斜視図である。図２において、１０は上面である。図３から図５は、図１の洗浄ブラシの製造手順を示す断面図である。図３において、６は押片、５５は断面である。図６は、本発明の実施例１の洗浄ブラシに使用するブラシ片の他の実施の形態の断面図である。図６において、６５は断面である。図７は、本発明の実施例１の他の実施の形態の洗浄ブラシを前面側から見た斜視図である。図７において、１１は洗浄ブラシ、１２は台座、１３はブラシ片、１４は溝部、１５は端面、１９は手持部、６３は底面、７１は端部である。図８は、本発明の実施例１の他の実施の形態の洗浄ブラシに使用するブラシ片の製造状態を、前面側から見た斜視図である。図８において、７９は山部、８９は谷部、９３はブラシ片である。【００２３】  洗浄ブラシ１は、図１の如く、台座２及びブラシ片３より形成されてある。台座２は、概棒状体にて形成されてあり、一端には手持部９が形成されてあると共に、他端には溝部４が形成されてある。溝部４は、概Ｕ字断面を有していると共に、底面５３の幅に比べて両側の端部６１間の幅が狭く設定されて形成されてある。台座２の材質には、合成樹脂が使用されてある。ブラシ片３は、不織布より形成されてあり、概Ｒ形状の外周面７が形成されてあると共に、概扇形状の端面５が形成されてある。また、洗浄ブラシ１の製造前のブラシ片３は、図２の如く、立方体形状に形成されてある。【００２４】  次に、図３から図５を使用して、洗浄ブラシ１の製造手順を説明する。まず、図３の如く、台座２に形成されてある溝部４の上部に、両側面に外周面７が形成されるように、ブラシ片３を設置する。次に、ブラシ片３の上部に形成された上面１０の中央部に、押片６を設置する。次に、図４の如く、押片６を台座２の溝部４にたいして押し込む。この時、ブラシ片３は、台座２及び押片６にて挟み付けられて形成されてあると共に、両側より、端部６１にて押さえ付けられて形成されてある。次に、押片６を、台座２の溝部４から引き抜く。この時、ブラシ片３には、不織布が使用されてあり、両側から端部６１にて押え付けられて形成されてあるため、ブラシ片３は、台座２の溝部４に保持されると共に、不織布に織り込まれた繊維間の隙間が拡がり、図５の如く、端部６１の両外側に底面８を有すると共に、概Ｒ形状の外周面７、及び概扇形状の断面５５を有するブラシ片３が形成される。【００２５】  実施例１の洗浄ブラシ１は、上記の如くの構成となっているので、洗浄ブラシ１の使用時には、底面８を有し、概Ｒ形状の外周面７、及び概扇形状の断面５５を有するブラシ片３が、被洗浄面に付着した汚れ等の水分、油分、塵、埃等のさまざまな種類の汚れを、不織布に織り込まれた繊維間の隙間に吸着することができる為、洗浄、清掃、及び磨きを、同時に、迅速、かつ的確にすることができる。また、被洗浄面に付着した汚れ等のなかでも、特に、台所等にて���用されてあるオーブントースター、電子レンジ、ガスコンロ、クッキングヒーター、グリル等の内面の角部、隅部、排気筒等の複雑な筒形状の内部に付着した油汚れにたいしては、ブラシ片３に形成されてある底面８、外周面７、及び断面５５が、被洗浄面の形状に沿うように、柔軟に接触することにより、より効果的かつ、迅速、的確に吸着除去して、洗浄、清掃、及び磨きをすることができる。【００２６】  また、洗浄ブラシ１は、ブラシ片３を、両側から端部６１にて押え付けられて台座２の溝部４に保持されてある構造となっている為、ブラシ片３を容易、かつ迅速に、着脱することができる。また、洗浄ブラシ１は、上記の如くの構造となっている為、洗浄ブラシ１の価格を極めて安くすることができ、製造を迅速、かつ容易にできる。さらにまた、台座２に形成されてある溝部４は、概Ｕ字断面を有していると共に、底面５３の幅に比べて両側の端部６１間の幅が狭く設定されて形成されてある為、洗浄ブラシ１の使用時に、台座２から、ブラシ片３が脱落することが無く、台座２にたいして、ブラシ片３を、確実に保持することができる。【００２７】  実施例１の洗浄ブラシ１は、上記の如くの構成となっているが、ブラシ片３の繊維の形成状態については、例えば、織り込まれた繊維間の隙間を粗く設定して概メッシュ状態に形成したり、極細繊維を使用して織り込まれた繊維間の隙間を極めて細かく設定して形成する等、使用目的に応じて、適時、設定しても、何ら支障は無い。また、洗浄ブラシ１の製造方法についても、ブラシ片３を、押片６により押し付けて、台座２の溝部４にて挟み付けて形成する上記の方法以外にも、例えば、押片６を使用すること無く、ブラシ片３を折り込んだ後、台座２の溝部４の外側からスライドさせることにより、溝部４に押し込む方法を採用する等、適時、設定しても、何ら支障は無い。さらにまた、ブラシ片３の外周面７の形成状態についても、ブラシ片３を、台座２の溝部４にたいして挟み付けて形成する時に、ブラシ片３を折り込む位置を、中心部から所定距離だけずらして折り込むことにより、外周面７が互いに段差を有するように形成しても、何ら支障は無い。この方法を採用した場合には、被洗浄面に強く付着した汚れ等がある場合でも、段差を有する外周面７が、汚れ等を、掻き出すことができる為、より迅速かつ的確に、洗浄、清掃、及び磨きをすることができる。【００２８】  次に、図６にて、本発明の実施例１の洗浄ブラシに使用するブラシ片の他の実施の形態を説明する。実施例１の他の実施の形態のブラシ片は、図６の如く、ブラシ片３の片側を巻き込んだ後、台座２の溝部４に押し込んで形成されてある。その為、端部６１の外側の一方に底面８、他方に上面１０を有すると共に、概Ｒ形状の外周面７、及び概扇形状の断面６５を有するブラシ片３が形成される。【００２９】  本発明の実施例１の他の実施の形態のブラシ片３は、上記の如くの構成となっているので、概Ｒ形状の外周面７は、中央部にて、分割されることが無く、連続的に形成されてある。その為、洗浄ブラシ１を、被洗浄面に付着した汚れ等に長時間接触させて使用した場合であっても、連続的に形成されてある外周面７は、変形する事が極めて少ない。その為、耐久性��高い洗浄ブラシを製作することができる。また、被洗浄面の汚れ等が、強力な付着力を有する場合であっても、高い洗浄力を発揮できると共に、高い耐久性を有することができる。【００３０】  次に、図７にて、本発明の実施例１の他の実施の形態の洗浄ブラシを説明する。洗浄ブラシ１１は、図７の如く、台座１２及び複数のブラシ片１３より形成されてある。台座１２は、概棒状体にて形成されてあり、一端には手持部１９が形成されてあると共に、他端には溝部１４が形成されてある。溝部１４は、概Ｕ字断面を有していると共に、底面６３の幅に比べて両側の端部７１間の幅が狭く設定されて形成されてある。台座１２の材質には、合成樹脂が使用されてある。ブラシ片１３は、織布より形成されてあり、複数の端面１５の形成状態は、概扇形状になるように形成されてある。また、洗浄ブラシ１１の製造前のブラシ片１３は、概矩形のシート形状に形成されてある。【００３１】  次に、洗浄ブラシ１１の製造手順を説明する。まず、台座１２に形成されてある溝部１４の上部に、複数のブラシ片１３を設置する。次に、ブラシ片１３の上部に、上記実施例１の説明にて使用した図３の押片６を設置する。次に、押片６を台座１２の溝部１４にたいして押し込む。この時、ブラシ片１３は、台座１２及び押片６にて挟み付けられて形成されてあると共に、両側より、端部７１にて押さえ付けられて形成されてある。次に、押片６を、台座１２の溝部１４から引き抜く。この時、ブラシ片１３には、織布が使用されてあり、両側から端部７１にて押え付けられて形成されてあるため、ブラシ片１３は、台座１２の溝部１４に保持される。また、織布にて形成された複数のブラシ片１３は、互いに、隣接している隙間が拡がり、図７の如く、複数の端面１５が、概扇形状になるように形成されてあるブラシ片１３が形成される。【００３２】  実施例１の他の実施の形態の洗浄ブラシ１１は、上記の如くの構成となっているので、洗浄ブラシ１１の使用時には、一般的に、不織布に比べて、より高い洗浄力を有する織布が、被洗浄面に付着した汚れ等に接触することにより、極めて高い洗浄力を発揮できると共に、高い耐久性を有することができる。【００３３】  実施例１の他の実施の形態の洗浄ブラシ１１は、上記の如くの構成となっているが、ブラシ片１３の枚数については、１枚以上であれば、使用目的に応じて、適時、設定しても、何ら支障は無い。また、使用目的に応じて、例えば、ブラシ片１３に、織布、及び不織布を組み合わせて使用する等、適時、設定しても、何ら支障は無い。また、ブラシ片１３の形状についても、矩形のシート形状以外にも、例えば、外周部に、概波形形状、あるいは、概歯切形状等を有するブラシ片１３に形成する等、使用目的に応じて、適時、設定しても、何ら支障は無い。上記の方法を採用した場合には、洗浄ブラシ１１の使用時には、ブラシ片１３の外周部に形成された、概波形形状、あるいは、概歯切形状が、被洗浄面に強力に付着した汚れ等にたいして接触することにより、極めて高い洗浄力を発揮できる。【００３４】  次に、図８にて、本発明の実施例１の他の実施の形態の洗浄ブラシに使用するブラシ片の製造状態を説明する。実施例１の他の実施の形態の洗浄ブラ���に使用するブラシ片９３は、図８の如く、１枚のブラシ片９３を、複数の山部７９、及び谷部８９が形成されるように、折り込んだ後、台座１２の溝部１４の上部に、ブラシ片９３を設置し、ブラシ片９３の上部に、押片６を設置する。次に、押片６を、台座１２の溝部１４にたいして押し込むことにより、台座１２の溝部１４に、挟み込まれて、ブラシ片９３が形成される。また、材質には、織布が使用されてある。【００３５】  実施例１の他の実施の形態の洗浄ブラシに使用するブラシ片９３は、上記の如くの構成となっているので、洗浄ブラシの使用時には、ブラシ片９３に形成された、複数の山部７９、及び谷部８９が、被洗浄面に強力に付着した汚れ等にたいして接触することにより、汚れ等を、強力に掻き出すことにより、極めて高い洗浄力を発揮できる。【００３６】  実施例１の他の実施の形態の洗浄ブラシに使用するブラシ片９３は、上記の如くの構成となっているが、ブラシ片９３の材質は、織布以外にも、上記の如くの製造状態が可能であるならば、不織布を使用しても、何ら支障は無い。また、ブラシ片９３の折り込み状態についても、山部７９、及び谷部８９が形成可能であるならば、適時、折り込み状態を変更して設定したブラシ片９３を採用しても、何ら支障は無い。
【実施例２】
【００３７】  図９から図１３にて実施例２を示す。図９は、本発明の洗浄ブラシを、前面側から見た斜視図である。図９において、２１は洗浄ブラシ、２２は台座、２３はブラシ片、２４は溝部、２５は端面、２６は芯材、２７は外周面、２８は下面、２９は手持部、５２は取っ手、７３は底面、８１は端部である。図１０は、図９に使用する台座、芯材、及びブラシ片を前面側から見た斜視図である。図１０において、５９は凹部である。図１１は、図９に使用する取っ手を示す平面図である。図１１において、６９は凸部である。図１２は、図９に使用するブラシ片を前面側から見た斜視図である。図１２において、２０は上面である。図１３は、図９の洗浄ブラシの製造状態を示す断面図である。図１３において、１６は押片、７５は断面である。【００３８】  洗浄ブラシ２１は、図９の如く、台座２２、芯材２６、ブラシ片２３及び取っ手５２より形成されてある。台座２２は、図１０の如く、長尺形状にて形成されてあり、溝部２４が形成されてある。溝部２４は、概Ｕ字断面を有していると共に、底面７３の幅に比べて両側の端部８１間の幅が狭く設定されて形成されてある。台座２２の両側面には、凹部５９が形成されてある。台座２２の材質には、合成樹脂が使用されてある。また、芯材２６は、図１０の如く、ブラシ片２３に挟み込まれて、概円柱形状にて形成されてあり、材質には、合成樹脂が使用されてある。また、ブラシ片２３は、親油性を有する不織布より形成されてあり、図１０の如く、概Ｒ形状の外周面２７が形成されてあると共に、概扇形状の端面２５が形成されてある。また、洗浄ブラシ２１の製造前のブラシ片２３は、図１２の如く、立方体形状に形成されてある。また、取っ手５２は、図１１の如く、概棒状体に形成されてあり、一端には、手持部２９が形成されてあると共に、他端には、台座２２の外形に沿うように、概Ｕ字断面を有する長尺形状が形成されてあり、両内側には、凸部６９が形成されてある。また、台座２２、芯材２６、及び取っ手５２の製造については、合成樹脂を成形するか、切削加工することにより、形成される。【００３９】  次に、図９から図１３を使用して、洗浄ブラシ２１の製造手順を説明する。まず、図１３の如く、台座２２に形成されてある溝部２４の上部に、両側面に外周面２７が形成されるように、ブラシ片２３を設置する。次に、ブラシ片２３の上部に形成された上面２０の中央部に、芯材２６を設置後、芯材２６の上部に、押片１６を設置する。次に、押片１６を台座２２の溝部２４にたいして押し込む。この時、ブラシ片２３は、台座２２及び芯材２６にて挟み付けられて形成されてあると共に、両側より、端部８１にて押さえ付けられて形成されてある。次に、押片１６を、台座２２の溝部２４から引き抜く。この時、ブラシ片２３には、親油性を有する不織布が使用されてあり、両側から端部８１にて押え付けられて形成されてあるため、ブラシ片２３は、台座２２の溝部２４に保持されると共に、不織布に織り込まれた繊維間の隙間が拡がり、図１０の如く、端部８１の両外側に底面２８を有すると共に、概Ｒ形状の外周面２７、及び概扇形状の端面２５を有するブラシ片３が形成される。この時、図１３に記載の断面７５は、図１０に記載の端面２５と同形状の概扇形状に形成される。次に、台座２２の両側面に形成されてある凹部５９を、取っ手５２に形成されてある凸部６９に嵌め合わせる。洗浄ブラシ２１は、上記の如くの製造手順となっている為、不織布に織り込まれた繊維間の隙間が拡がり、図９の如く、端部８１の両外側に底面２８を有すると共に、概Ｒ形状の外周面２７、及び概扇形状の端面２５を有するブラシ片２３が形成される。【００４０】  実施例２の洗浄ブラシ２１は、上記の如くの構成となっているので、洗浄ブラシ２１の使用時には、親油性を有する不織布を使用し、かつ、底面２８、概Ｒ形状の外周面２７、及び概扇形状の端面２５を有するブラシ片２３が、被洗浄面に付着した汚れ等の水分、油分、塵、埃等のさまざまな種類の汚れを、不織布に織り込まれた繊維間の隙間に吸着すると共に、特に油分を強力に吸着することができる為、洗浄、清掃、及び磨きを、同時に、迅速、かつ的確にすることができる。また、被洗浄面に付着した汚れ等のなかでも、特に、台所等にて使用されてあるオーブントースター、電子レンジ、ガスコンロ、クッキングヒーター、グリル等の内面の角部、隅部、排気筒等の複雑な筒形状の内部に付着した油汚れにたいしては、ブラシ片２３に形成されてある底面２８、外周面２７、及び端面２５が、被洗浄面の形状に沿うように、柔軟に接触すると共に、特に油分を強力に吸着することができる為、より効果的かつ、迅速、的確に吸着除去して、洗浄、清掃、及び磨きをすることができる。【００４１】  また、洗浄ブラシ２１は、ブラシ片２３が、両側から端部８１にて押え付けられてあると共に、芯材２６及び台座２２の溝部２４にて、挟み付けられて保持されてある構造となっている為、台座２２の溝部２４にたいして、ブラシ片２３を、強力に保持することができる。その為、洗浄ブラシ２１の使用時に、ブラシ片２３が、溝部２４から脱落する事が無い。また、洗浄ブラシ２１は、ブラシ片２３を芯材２６及び台座２２の溝部２４にて、挟み付けた後、台座２２の両側面に形成されてある凹部５９を、取っ手５２に形成されてある凸部６９に嵌め合わせて形成されてある為、取っ手５２から、台座２２をワンタッチで、着脱することができる。その為、芯材２６と共に台座２２に挟み付けられてあるブラシ片２３の交換を、容易、かつ迅速にすることができる。また、芯材２６と共に台座２２に挟み付けられてあるブラシ片２３を、それぞれ、台座２２、芯材２６、及びブラシ片２３に、容易、かつ迅速に、分解することができる。また、廃棄する時には、的確な分別廃棄ができる。また、洗浄ブラシ２１は、上記の如くの構造となっている為、洗浄ブラシ２１の価格を極めて安くすることができ、製造を迅速、かつ容易にできる。【００４２】  実施例２の洗浄ブラシ２１は、上記の如くの構成となっているが、芯材２６の形状、本数については、使用目的に応じて、例えば、長手方向にたいして捩りを加えた概角柱形状を使用したり、複数本の芯材を重ねて使用したり、複数本の芯材を束ねて捩りを加えて使用することも可能である。この場合には、ブラシ片２３の、台座２２の溝部２４にたいする保持力を、より強く設定することができる。また、台座２２、芯材２６、及び取っ手５２の材質についても、使用目的に応じて、例えば、台座２２にバネ鋼等を使用したり、芯材２６にピアノ線等を使用したり、取っ手５２に鋼板等を使用する等、他の材質を採用することも可能である。
【実施例３】
【００４３】  図１４にて実施例３を示す。図１４は、本発明の洗浄ブラシを、前面側から見た斜視図である。図１４において、３１は洗浄ブラシ、３２は台座、３３はブラシ片、３４は溝部、３５は端面、３６は芯材、３７は外周面、３８は下面、３９は手持部、５７はスリット、６２は取っ手、８３は底面、９１は端部である。【００４４】  洗浄ブラシ３１は、図１４の如く、台座３２、芯材３６、ブラシ片３３、及び取っ手６２より形成されてある。台座３２は、長尺形状にて形成されてあり、溝部３４が形成されてある。溝部３４は、概Ｕ字断面を有していると共に、底面８３の幅に比べて両側の端部９１間の幅が狭く設定されて形成されてある。台座３２の材質には、合成樹脂の成形品が使用されてある。また、芯材３６は、ブラシ片３３に挟み込まれて、概円柱形状にて形成されてあり、材質には、合成樹脂の成形品が使用されてある。また、ブラシ片３３は、親油性を有する不織布より形成されてあり、概Ｒ形状の外周面３７が形成されてあると共に、概扇形状の端面３５が形成されてあり、複数のスリット５７が形成されてある。また、取っ手６２は、概棒状体に形成されてあり、一端には、手持部３９が形成されてあると共に、他端には、台座３２の外形に沿うように、概Ｕ字断面を有する長尺形状が形成されてある。また、洗浄ブラシ３１は、ブラシ片３３を、芯材３６及び台座３２の溝部３４にて挟み付けて押し込んだ後、台座３２を、取っ手６２にたいして、着脱可能になるように、装着して形成されてある。【００４５】  実施例３の洗浄ブラシ３１は、上記の如くの構成となっているので、洗浄ブラシ３１の使用時においては、親油性を有する不織布が使用されてあり、概Ｒ形状の外周面３７が形成されてあると共に、概扇形状の端面３５が形成されてあり、複数のスリット５７が形成されてあるブラシ片３３が、被洗浄面に付着した汚れ等の水分、油分、塵、埃等のさまざまな種類の汚れを、不織布に織り込まれた繊維間の隙間に吸着すると共に、特に油分を強力に吸着することができ、かつ、複数のスリット５７間に、汚れ等が入り込むことができる為、洗浄、清掃、及び磨きを、同時に、迅速、かつ的確にすることができると共に、ブラシ片３３に付着した汚れ等が脱落することを防止できる。【００４６】  実施例３の洗浄ブラシ３１は、上記の如くの構成となっているが、スリット５７の形成状態については、使用目的に応じて、例えば、ブラシ片３３の長手方向にたいして所定角度傾斜させて、複数のスリット５７を形成する等、適時、設定することができる。
【産業上の利用可能性】
【００４７】  本発明の洗浄ブラシは、さまざまな目的にたいして使用可能であるが、被洗浄面に付着した汚れ等のなかでも、特に、台所にて使用されてあるオーブントースター、電子レンジ、ガスコンロ、クッキングヒーター、グリル等に付着した油汚れにたいして、より好適に使用することができる。また、自動車、バス、電車、新幹線、航空機等の外壁面用あるいは内壁面用の洗浄ブラシとして使用したり、ビルの外壁面あるいは内壁面の洗浄ブラシとして使用したり、一般家庭用あるいは業務用の洗浄ブラシとして使用する等、広く好適に使用することができる。
【図面の簡単な説明】
【００４８】
【図１】  本発明の洗浄ブラシを前面側から見た斜視図である。
【図２】  図１に使用するブラシ片を前面側から見た斜視図である。
【図３】  図１の洗浄ブラシの製造手順を示す断面図である。
【図４】  図１の洗浄ブラシの製造手順を示す断面図である。
【図５】  図１の洗浄ブラシの製造手順を示す断面図である。
【図６】  本発明の実施例１の洗浄ブラシに使用するブラシ片の他の実施の形態の断面図である。
【図７】  本発明の実施例１の他の実施の形態の洗浄ブラシを前面側から見た斜視図である。
【図８】  本発明の実施例１の他の実施の形態の洗浄ブラシに使用するブラシ片の製造状態を前面側から見た斜視図である。
【図９】  本発明の洗浄ブラシを、前面側から見た斜視図である。
【図１０】  図９に使用する台座、芯材、及びブラシ片を前面側から見た斜視図である。
【図１１】  図９に使用する取っ手を示す平面図である。
【図１２】  図９に使用するブラシ片を前面側から見た斜視図である。
【図１３】  図９の洗浄ブラシの製造状態を示す断面図である。
【図１４】  本発明の洗浄ブラシを、前面側から見た斜視図である。
【符号の説明】
【００４９】１、１１、２１、３１  洗浄ブラシ  ２、１２、２２、３２  台座
３、１３、２３、３３、９３  ブラシ片  ４、１４、２４、３４  溝部
５、１５、２５、３５  端面  ６、１６  押片  ７、２７、３７  外周面
８、２８、３８  下面  ９、１９、２９、３９  手持部  １０、２０  上面
２６、３６  芯材  ５２、６２  取っ手  ５３、６３、７３、８３  底面
５５、６５、７５  断面  ５７  スリット  ５９  凹部
６１、７１、８１、９１  端部  ６９  凸部  ７９  山部  ８９  谷部
【図１】
2005103214.tif 000003
【図２】
2005103214.tif 000004
【図３】
2005103214.tif 000005
【図４】
2005103214.tif 000006
【図５】
2005103214.tif 000007
【図６】
2005103214.tif 000008
【図７】
2005103214.tif 000009
【図８】
2005103214.tif 000010
【図９】
2005103214.tif 000011
【図１０】
2005103214.tif 000012
【図１１】
2005103214.tif 000013
【図１２】
2005103214.tif 000014
【図１３】
2005103214.tif 000015
【図１４】
2005103214.tif 000016